(57)【要約】      （修正有）【課題】紐、ロープなどの線状体に設置したまま任意の長さで切断出来、またその線状体を結束・保持することができる用具を提供する。【解決手段】線状体保持部と結束具を有する 本体部２ と、線状体を切断する刃部 3 とで切断結束工具 1 は構成されている。線状体の保持機能を有する２つの穴４が設けられている。また、線状体保持部２の中央部には線状体を切断する刃部 3が設けられており、本体である２をもち、線状体を刃部３にかけ、５に通し、Ｘにて線状体を押さえつけ、Ｙ側に引くように使用することで線状体の切断作業を行う切断具となる。また、本体１中央部５にボビン等に巻かれた線状体や、任意で巻かれた線状体６の線状体をＺからＹに通るように引っかけ、線状体保持部と結束具を有する本体 ２ を持ち、線状体の保持機能を有する穴４より線状体の端部をＸに引くことにより、線状体を結束保持する。【選択図】図１
0003122201.tif 000002
【実用新案登録請求の範囲】
【請求項１】
本体部両端に設けられた開口部に線状体を通すことで線状体に設置し、
本体中央部に刃を設置することを特徴とした、任意の長さで線状体を切断できる切断具。
【請求項２】
紐、ロープなどの線状体を結束保持する機能を有した線状体切断具。
【考案の詳細な説明】
【技術分野】
【０００１】
本考案は、紐、ロープ、縄などの線状体の保管に際する結束保持機能を有した、線状体切断具に関するものである。
【背景技術】
【０００２】
従来、紐などの線状体は別に用意したカッターなどの切断具を用いる必要があった。
その都度切断具を用いるため作業効率が悪い。
また、線状体の保管時に末端の解れを防ぐため、縛り、使用時に解くという手間の必要があった。
その都度、縛り、解く作業を必要とするため、効率が悪い。
【考案の開示】
【考案が解決しようとする課題】
【０００３】
本考案は、紐、ロープなどの線状体に設置したまま任意の長さで切断出来、またその線状体を保管の際に解れを防止するための結束保持することができる用具を提供するものである。
【課題を解決するための手段】
【０００４】
請求項１では、本体に２つの穴を設け、保持部を形成し、線状体を２つの穴に通すことで、線状体の任意の位地に移動出来るようにし、切断部を設け、線状体を切断できるようにした。
また、本発明の請求項２では、突起部を設け、それをボビン等に巻かれた線状体や、任意で巻かれた線状体に引っかけ結束保持することで、線状体の保存時での解れを防止することに対応できるようにした。
【考案の効果】
【０００５】
本考案の請求項１及び２によれば、紐などの線状体に設置したまま、任意の長さで切断出来、またその線状体の保存時での解れを防止するための結束保持機能を有したため、線状体を使用する作業を効率的にできるようになった。
【考案を実施するための最良の形態】
【０００６】
以下、本考案における好ましい実施例について、添付図面を参照しながら説明する。
図１及び、図２及び、図３及び、図４及び、図５及び、図６とにおいて、１は全体として本発明による線状体に対応した切断結束工具を示し、線状体保持部と結束具を有する本体２と、線状体を切断する刃部３とで構成されている。実際上、この線状体に対応した切断結束工具１は線状体の保持機能を有する２つの穴４が設けられており、図１に示すように線状体に設置することによって、図２に示すとおり、任意の長さ及び位置にこの切断結束工具を移動出来る。また、図１に示すとおり、線状体保持部と結束具を有する本体２には線状体切断する刃部３が設けられており、刃部３の両側には線状体保持部２の突起により直接刃部 ３に触れることを防止するため、使用時に安全に使用できる。線状体の切断には、図３及び図４に示すとおり、線状体保持部と結束具を有する本体 ２をもち、線状体を刃部３にかけ、５に通し、Ｘにて線状体を押さえつけ、Ｙ側に引くことで刃部３によって線状体を切断する。また、図５及び図６に示すとおり、本体１中央部５にボビン等に巻かれた線状体や、任意で巻かれた線状体６の線状体をＺからＹに通るように引っかけ、線状体保持部と結束具を有する本体２を持ち、線状体の保持機能を有する穴４より線状体の端部をＸに引くことにより、線状体を結束保持する。また、結束保持を外す場合、線状体の保持機能を有する穴４より線状体の端部を持ち、線状体保持部と結束具を有する本体２をＸに移動させることで、結束保持を解くことが出来る。
【０００７】
「実施形態の効果」
この考案は、以上のとおり構成されるのでつぎのとおりの効果を有する。
１．紐などの線状体に切断具を常に設置しておけるため、切断作業の効率が良い。
２．刃に触れないため、安全である。
３．線状体を簡単に結束保持できるため、線状体の保管作業の効率がよい。
【０００８】
「他の実施形態」
図７に示すとおり、本体２の中心部の高さを低くしたものでも良い。
図７に示すとおり、線状体の保持部２は切り込みでも形成される。
【図面の簡単な説明】
【０００９】
【図１】この考案の一実施形態を示す略線的斜視図である。
【図２】線状体への設置形態を示す略線的側面図である。
【図３】線状体の切断を示す略線的斜視図である。
【図４】線状体の切断を示す略線的側面図である。
【図５】線状体の結束保持を示す略線的斜視図である。
【図６】線状体の結束保持を示す略線的側面図である。
【図７】他の実施形態を示す略線的斜視図である。
【符号の説明】
【００１０】
１  線状体切断結束保持具
２  本体部
３  線状体切断刃部
４  線状体保持穴部
５  線状体結束保持部
６  巻かれた線状体
【図１】
0003122201.tif 000003
【図２】
0003122201.tif 000004
【図３】
0003122201.tif 000005
【図４】
0003122201.tif 000006
【図５】
0003122201.tif 000007
【図６】
0003122201.tif 000008
【図７】
0003122201.tif 000009
【手続補正書】
【提出日】平成18年3月16日(2006.3.16)
【手続補正１】
【補正対象書類名】実用新案登録請求の範囲
【補正対象項目名】全文
【補正方法】変更
【補正の内容】
【実用新案登録請求の範囲】
【請求項１】
本体部両端に設けられた開口部に線状体を通すことで線状体に設置し、
本体中央部に刃を設置することで、任意の長さで線状体の切断を可能とし、
本体中央部に線状体を保持するための開口部及び開口部を構成する突起部
を設け、ボビン等に巻かれた線状体や、任意で巻かれた線状体に引っかけ
結束保持する機能を有した線状体切断結束保持具。
【手続補正２】
【補正対象書類名】明細書
【補正対象項目名】０００４
【補正方法】変更
【補正の内容】
【０００４】
請求項１では、本体に２つの穴を設け、保持部を形成し、線状体を２つの
穴に通すことで、線状体の任意の位地に移動出来るようにし、切断部を設
け、線状体を切断できるようにした。本体中央部に開口部及び開口部を構
成する突起部を設け、それをボビン等に巻かれた線状体や、任意で巻かれ
た線状体に引っかけ結束保持することで、線状体の保存時での解れを防止
することに対応できるようにした。
【手続補正３】
【補正対象書類名】明細書
【補正対象項目名】０００５
【補正方法】変更
【補正の内容】
【０００５】
本考案の請求項１によれば、紐などの線状体に設置したまま、任意の長さ
で切断出来、またその線状体の保存時での解れを防止するための結束保持
機能を有したため、線状体を使用する作業を効率的にできるようになった。